(57)【特許請求の範囲】
【請求項１】
表面に液が付着している平板に、多孔質物質製筒状のロール体を接触させて、その付着している液の量を減少させる液切り装置において、ロール体の多孔質物質の部分に接触する傾斜ロールであって、その傾斜ロールの軸が、ロール体の軸方向中央側の部分から軸方向端部側の部分に向かって下降するように傾斜して配設された傾斜ロールをも備え、傾斜ロールをロール体に接触させて、接触させた部分の多孔質物質を圧縮することにより、その部分に吸収している液を、傾斜ロールを介して排出するように形成され、傾斜ロールが、ロール体の軸方向に離間して、複数設けられていることを特徴とする液切り装置。
【請求項２】
多孔質物質が、発泡樹脂であることを特徴とする請求項１記載の液切り装置。
【発明の詳細な説明】
【０００１】
【発明の属する技術分野】
本発明は、プリント配線板の製造工程等で、平板の表面に付着している液の量を減少させるため等に用いられる、液切り装置に関するものである。
【０００２】
【従来の技術】
従来より、表面に導体回路が形成された板や導体箔が貼られた板を用いてプリント配線板を製造するに当たっては、次工程で表面の接着強度を高めるために、導体に表面処理を施すことが行われている。この表面処理は、薬液を用いて化学処理で行われることが多く、その処理の途中や最後には、板の表面に付着した処理液や洗浄液を除去することが行われている。
【０００３】
この液の除去方法としては、図３（ａ）に示すような、上下に配置した１組の多孔質物質製筒状のロール体１０の間を、表面に液２２が付着している平板２０を通過させることにより、ロール体１０を平板２０に接触させて付着している液２２を多孔質物質の内部に吸収し、平板２０の表面に付着している液２２の量を減少させることが行われている。
【０００４】
しかし、この多孔質物質製のロール体１０を平板２０に接触させる方法の場合、液２２の除去を繰り返すと、多孔質物質中に液２２が飽和してそれ以上吸収され難くなるという問題があった。そのため、図３（ｂ）に示すように、ロール体１０を平板２０に加圧接触させることにより、一旦吸収した液２２を平板２０上に押し出して、ロール体１０のうち平板２０の進行方向後部側の部分に溜め、平板２０の端部で平板２０から落下させて液２２を除去することが行われている。しかし、この方法の場合、ロール体１０を平板２０に加圧接触させる必要があるため、表面処理を施した平板２０の場合、表面処理が傷付きやすいという問題があった。更に、この方法で多孔質物質中の液量を減らしても、液２２の除去性は低いため、ロール体１０を複数設けて多段式で除去する必要があり、この点でも表面処理が傷付きやすいという問題があった。
【０００５】
【発明が解決しようとする課題】
本発明は、上記問題点を改善するために成されたもので、その目的とするところは、表面に液が付着している平板に、多孔質物質製筒状のロール体を接触させて、その付着している液の量を減少させる液切り装置であって、平板の表面が傷付きにくい液切り装置を提供することにある。
【０００６】
【課題を解決するための手段】
本発明に係る液切り装置は、表面に液が付着している平板に、多孔質物質製筒状のロール体を接触させて、その付着している液の量を減少させる液切り装置において、ロール体の多孔質物質の部分に接触する傾斜ロールであって、その傾斜ロールの軸が、ロール体の軸方向中央側の部分から軸方向端部側の部分に向かって下降するように傾斜して配設された傾斜ロールをも備え、傾斜ロールをロール体に接触させて、接触させた部分の多孔質物質を圧縮することにより、その部分に吸収している液を、傾斜ロールを介して排出するように形成されていることを特徴とする。
【０００７】
上記傾斜ロールは、ロール体の軸方向に離間して、複数設けられており、上記多孔質物質は、発泡樹脂であると好ましい。
【０００８】
【発明の実施の形態】
本発明に係る液切り装置を図面に基づいて説明する。図１は本発明に係る液切り装置の一実施の形態を説明する図であり、（ａ）は斜視図、（ｂ）は側面図である。図２は本発明に係る液切り装置の一実施の形態を説明する正面図である。
【０００９】
本発明に係る液切り装置の一実施の形態は、図１に示すような、表面に液２２が付着している平板２０に、回転する一対の多孔質物質１２製筒状のロール体１０，１０を接触させて、多孔質物質１２の内部に液２２を吸収することにより、平板２０の表面に付着している液２２の量を減少させると共に、平板２０を搬送する液切り装置である。
【００１０】
このロール体１０は、軸芯１１の周囲を、多孔質物質１２で囲んだ筒状のものである。そして、このロール体１０の多孔質物質１２の部分に接触するように、複数の傾斜ロール１５が設けられており、この傾斜ロール１５は、図２に示すように、その軸１５ｊが、ロール体１０の軸方向中央１０ａ側の部分から軸方向端部１０ｂ側の部分に向かって下降するように傾斜して配設されている。更に、ロール体１０の軸方向中央１０ａ部分には、ロール体１０の軸１０ｊと平行な軸１６ｊを有する平行ロール１６が、ロール体１０の多孔質物質１２の部分に接触するように設けられている。
【００１１】
傾斜ロール１５及び平行ロール１６には、図１（ｂ）に示すように、シリンダー１８が接続されており、シリンダー１８を伸長することによって、傾斜ロール１５及び平行ロール１６をロール体１０に加圧接触させて、接触させた部分の多孔質物質１２を圧縮するようになっている。そのため、多孔質物質１２中に液２２が飽和した場合には、圧縮された部分に吸収していた液２２が、その部分のロール体１０の表面に滲み出るようになっている。このとき、ロール体１０の軸方向中央１０ａ側の部分から軸方向端部１０ｂ側の部分に向かって下降するように傾斜して傾斜ロール１５が配設されているため、ロール体１０の表面に滲み出した液２２は、傾斜ロール１５を伝わってロール体１０の軸方向端部１０ｂ側の部分に向かって流れるようになっており、流れ出した液２２はロール体１０の軸方向端部１０ｂから流れ出て液受け部１７に排出するように形成されている。
【００１２】
そのため、多孔質物質１２中に液２２が飽和しても、従来の方法のように、ロール体１０を平板２０に加圧接触させて液２２の除去を行う必要がなく、ロール体１０と平板２０が接触する圧力を従来の方法と比較して小さくできるため、平板２０の表面が傷付きにくい液切り装置となっている。
【００１３】
なお、傾斜ロール１５がロール体１０の軸方向に離間して複数設けられており、多孔質物質１２中に吸収していた液２２の滲み出し量を増加させることが可能なため、液２２の排出性が向上する。また、長さの短い傾斜ロール１５を複数設けた場合、ロール体１０の表面に沿って設けやすくなるため、多孔質物質１２中に吸収していた液２２の滲み出しが安定し、液２２の排出性が向上し好ましい。
【００１４】
上記の実施の形態は、ロール体１０の軸方向中央１０ａ部分に、平行ロール１６を設けた実施の形態であるが、軸方向中央１０ａ部分にも、傾斜ロール１５を設けるようにしても良い。どちらの場合も、多孔質物質１２中に液２２が飽和した場合に液２２の排出が可能なため、液２２の除去性が優れた液切り装置となって、平板２０の表面が傷付きにくい液切り装置となる。
【００１５】
なお、図示しないが、傾斜ロール１５を、ロール体１０の一方の軸方向端部から他方の軸方向端部側の部分に向かって下降するように傾斜して設けた場合、傾斜ロール１５を伝わって液２２が流れる距離が長くなり、途中で液２２が漏れ出す恐れがあるため、ロール体１０の軸方向中央１０ａ側の部分から軸方向端部１０ｂ側の部分に向かって下降するように傾斜して配設すると好ましい。
【００１６】
上記ロール体１０を形成する多孔質物質１２は、液２２をその内部に吸収する孔を表面及び内部に多数有しているものであり、且つ、ロール体１０に傾斜ロール１５を接触させた際に、接触した部分が圧縮されるものであれば特に限定するものではないが、発泡樹脂であると、ぼぼ均一な大きさの孔を全体に形成することが容易であると共に、比較的柔軟性が高いため平板２０の表面が特に傷付きにくくなり好ましい。なお、多孔質物質１２の孔の大きさとしては、液２２をその内部に吸収することができる大きさであれば特に限定するものではないが、０．３〜１．５ｍｍ程度が一般的である。
【００１７】
本発明に係る液切り装置を用いて表面に付着している液２２の量を減少させる平板２０は、特に限定するものではなく、シート状のものでも、ロール等から巻き出して供給される長尺状のものでも良い。なお、平板２０に加わる圧力が小さくても液２２の除去が可能なため、本発明に係る液切り装置を用いると、厚みの薄い平板２０であっても液２２の除去が可能となり好ましい。なお、本発明に係る平板２０は、ロール体１０が変形して追従可能なものであれば、多少の凹凸を有しているものも含むものである。また、平板２０の表面に付着している液２２も、特に限定するものではなく、多孔質物質１２の内部に吸収することが可能であれば、粒状物質等を含有していても良い。
【００１８】
なお、上記の実施の形態は、一対のロール体１０，１０のうち、上側のロール体１０に傾斜ロール１５を接触させた実施の形態である。一般に下側のロール体１０は、多孔質物質１２に吸収している液２２が、液２２の自重によって落下して排出されやすいため、傾斜ロール１５を接触させなくても良いが、両方に傾斜ロール１５を接触させると、特に多孔質物質１２に吸収している液２２が排出され易くなり好ましい。
【００１９】
【発明の効果】
本発明に係る液切り装置は、上記のような傾斜ロールを備え、傾斜ロールをロール体に接触させて、接触させた部分の多孔質物質を圧縮することにより、その部分に吸収している液を、傾斜ロールを介して排出するように形成されているため、ロール体と平板が接触する圧力を従来の方法と比較して小さくすることができ、平板の表面が傷付きにくい液切り装置となる。
【００２０】
本発明の液切り装置は、多孔質物質中に吸収していた液の滲み出し量を増加させることが可能なため、液の排出性が向上し、特に平板の表面が傷付きにくい液切り装置となる。
【図面の簡単な説明】
【図１】本発明に係る液切り装置の一実施の形態を説明する図であり、（ａ）は斜視図、（ｂ）は側面図である。
【図２】本発明に係る液切り装置の一実施の形態を説明する正面図である。
【図３】従来の液切り装置を説明する側面図である。
【符号の説明】
１０    ロール体
１０ａ    ロール体の軸方向中央
１０ｂ    ロール体の軸方向端部
１０ｊ    ロール体の軸
１１    軸芯
１２    多孔質物質
１５    傾斜ロール
１５ｊ    傾斜ロールの軸
１６    平行ロール
１６ｊ    平行ロールの軸
１８    シリンダー
２０    平板
２２    液
【図１】
0003817946.tif 000002
【図２】
0003817946.tif 000003
【図３】
0003817946.tif 000004